(57)【特許請求の範囲】
【請求項１】
害虫監視又は害虫誘引装置において、前記装置は、
外壁と、
前記装置を選択的に移動させるための取出手段を受け入れる実質的に包囲された通路を形成する内壁と、
前記内壁と前記外壁との間に配置された害虫食用材料と、
前記通路内に滑動可能に受け入れられる取出手段とを具備することを特徴とする害虫監視又は害虫誘引装置。
【請求項２】
前記害虫食用材料は殺虫剤を具備することを特徴とする請求項１に記載の害虫監視又は害虫誘引装置。
【請求項３】
前記取出手段は、基部と、前記基部から実質的に突出する細長指とを具備することを特徴とする請求項１又は２に記載の害虫監視又は害虫誘引装置。
【請求項４】
ハウジングであって、害虫が前記ハウジングの外側の位置から前記ハウジングの内側へ接近できるように害虫が通ることができる大きさの開口を具備するハウジングと、
前記ハウジング内に取り外し可能に配置された第一装置及び第二装置とを具備する害虫監視又は害虫誘引設備であって、
前記第一装置及び前記第二装置は、前記ハウジングから選択的に取り外し可能となるように堆積関係で配置されており、且つ前記第一装置及び前記第二装置の各々が、害虫監視装置及び害虫誘引装置からなる群から選択されることを特徴とする害虫監視又は害虫誘引設備。
【請求項５】
前記装置の少なくとも一つが、前記装置を選択的に移動させるための取出手段を受け入れる実質的に包囲された通路を形成する内壁を具備することを特徴とする請求項４に記載の害虫監視又は害虫誘引設備。
【請求項６】
取出手段が設けられており、前記取出手段は、基部と、前記基部から実質的に垂直に突出する細長指とを具備することを特徴とする請求項５に記載の害虫監視又は害虫誘引設備。
【請求項７】
ハウジングであって、害虫が前記ハウジングの外側の位置から前記ハウジングの内側へ接近できるように害虫が開口を通ることができる大きさの開口を具備するハウジングと、
前記ハウジング内に取り外し可能に配置され、かつ実質的に包囲された通路を形成する内壁を有し、かつ害虫監視装置又は害虫誘引装置からなる群から選択される第一装置と、
前記第一装置を選択的に移動させるのに使用するための前記第一装置の前記通路内に受け入れられる第一取出手段とを具備する害虫監視又は害虫誘引設備。
【請求項８】
前記ハウジング内に取り外し可能に配置され、かつ害虫監視装置及び害虫誘引装置からなる群から選択される第二装置をさらに具備し、前記第二装置は、実質的に包囲された通路を形成する内壁を具備し、前記害虫監視又は害虫誘引設備は、前記第二装置を選択的に移動させるのに使用するための前記第二装置の通路内に受け入れられる第二取出手段を具備し、前記第一取出手段及び前記第二取出手段は、前記第一装置及び前記第二装置の堆積を可能とするように、前記ハウジング内に実質的に同軸に配置され、前記第一取出手段は、前記第二取出手段と係合するための手段を具備する請求項７に記載の害虫監視又は害虫誘引設備。
【請求項９】
実質的に透明な端キャップを具備する空間充填装置を具備し、前記空間充填装置は、シロアリの破壊に対して実質的に耐性があることを特徴とする請求項７に記載の害虫監視又は害虫誘引設備。
【請求項１０】
前記空間充填装置は、前記空間充填装置の操作及び移動を容易にするための把持手段を具備することを特徴とする請求項９に記載の害虫監視又は害虫誘引設備。
【請求項１１】
害虫食用材料と、実質的に包囲された通路を形成する内壁とを具備する装置を設け、前記装置は、害虫監視装置及び害虫誘引装置からなる群から選択される段階と、
前記装置を定期的に監視するために、害虫食用材料の任意の部分が害虫によって破壊されたか否かを判定する段階とを具備し、
取出手段が設けられており、かつ前記取出手段が前記通路内で受け入れられており、前記取出手段が前記装置の選択的な移動を容易にするために使用されることを特徴とする害虫を監視又は制御するための方法。
【請求項１２】
外壁と、実質的に包囲された通路を形成する内壁と、前記内壁と前記外壁との間に配置された害虫食用材料と、前記害虫食用材料内に組み込まれた殺虫剤とを有する害虫誘引装置を設ける段階と、
害虫に前記害虫誘引装置を曝す段階とを具備し、
前記害虫誘引装置は、ハウジング内に配置されており、且つ前記ハウジングから前記害虫誘引装置の選択的な引き出しを容易にするために使用され、前記通路内に受け入れられた取出手段を具備することを特徴とする害虫を制御するための方法。
【請求項１３】
害虫監視装置であって、害虫食用材料と、実質的に包囲された通路を形成する内壁と、前記害虫監視装置を選択的に移動させるための前記通路内に滑動可能に受け入れられる第一取出手段とを具備する害虫監視装置を、害虫の存在が判定されるべき領域内において設ける段階と、
害虫の活動を調べることによって前記害虫監視装置を定期的に監視する段階と、
害虫誘引装置であって、害虫食用誘殺マトリックスと、作用の遅い殺虫剤と、実質的に包囲された通路を形成する内壁と、前記害虫誘引装置を選択的に移動させるための前記害虫誘引装置の通路内に滑動可能に受け入れられる第二取出手段とを具備する害虫誘引装置を、害虫を有すると判定された領域内において設ける段階とを具備する害虫を制御するための方法。
【請求項１４】
前記方法は第一取出手段及び第二取出手段を連結する段階を具備することを特徴とする請求項１３に記載の方法。
【発明の詳細な説明】
本発明は、害虫を監視又は制御するための方法及び装置に関し、シロアリの集団を監視及び／制御するのに特に有用である。
多くの種類のシロアリは、土壌中に住み（すなわち、地下のシロアリ(subterranean termite)）、数百万のシロアリを含むことができる大きな群落の中に存在する。群落の構成員は食物を求めて捜しまわり、群落又は巣から外方向に土壌内で回廊又は通路を掘り、食物を捜しているシロアリによって捜された食物の一部分が巣へ戻される。シロアリは、特に、木材又は他のセルロース材料について、大食の食欲であるので、非常に破壊的である。かなりの損害を引き起こすシロアリの能力は、部分的に、シロアリ及びシロアリによって生じる損害の外的兆候は、シロアリの侵入が比較的に進んだ段階になるまで一般に見られないという事実による。シロアリが通常木製構造物の内部を損傷させるか、観察が容易でない位置にある保護色の生物であるので、シロアリは検知及び制御するのが難しい。したがって、シロアリの制御は巨大な費用を必要とする。
シロアリのような害虫を制御するための従来の方法は、害虫の連続的な侵入を防ぐために、殺虫剤で新しい構成部位の予処理等の予防手段を含む。この予処理アプローチの下で、殺虫剤は、新しい構造体の周辺にシロアリの遮断を確立する試みにおいて構造体の建築前に土壌全体にわたって及び土壌内へ一般に噴霧される。例えば、新しい建設部位に存在する土壌は、溝掘り、すなわち、溝が構造体によって占められる領域を包囲するように土壌内で溝を掘ることによって予処理されることができる。このアプローチは、シロアリの侵入を防ぐ時に障壁の有効性を維持するために、土が定期的に再度処理される必要がある。シロアリの群落がシロアリ障壁において一つ以上の不連続部を発見した後に、予処理された建造物はシロアリの攻撃を受けやすい。
シロアリを制御するための他の従来の方法は、侵入後の試みを含む。例えば、一つの方法は、シロアリの回廊を直接的に処理するために殺虫剤の圧力注入を使用することである。別のアプローチは、構造物できつくテントを張り（すなわち、閉鎖又はシールし）、テントを気体の殺虫剤で充填することによる、シロアリに侵入された構造物の燻蒸を含む。しかしながら、これらの従来の方法は、シロアリの侵入を満足に検出するための任意の手段を付与することができない。これらの従来の処理は、殺虫剤と直接的に接触する地下のシロアリの集団の小さな部分のみであるシロアリにしか影響を及ぼさないので不十分である。さらに、非目的の種及び環境への殺虫剤の露出を避けるために注意されなければならない。
シロアリ制御技術におけるより最近の開発は、シロアリ殺虫剤等の比較的少量の殺虫剤を含むシロアリ誘引マトリックスの使用に関する。一般に、このような方法及び装置は、一旦それらが監視手順の結果として検出されると、害虫の制御に向けられる。検知の後に、害虫を、特に特定の巣又は群落からの害虫等の害虫を誘惑する誘引マトリックス内の殺虫剤を摂取させるか、接触するようにさせることによって害虫は制御される。
とりわけ、シロアリは、食物源の位置をフェロモン等の化学的信号によって群落内の他のシロアリに連絡する。これらの特性は、害虫の侵入を有効に制御するために利用されることができる。巣の移動経路において、昆虫は、他の昆虫を食物源へ向かわせる又は補充する非常に特別な牽引フェロモンを残す。次に、同じ群落からの他の昆虫は、化学的な信号を検出し、こうして、昆虫はこの食物源へ向けられる。これらのフェロモンの濃度及び組成は、種及び群落特有とすることができ、牽引フェロモン(trail pheromone)は、給餌開始フェロモンとは非常に異なる。食物を求めている昆虫による殺虫剤含有マトリックス食物源、すなわち食物誘殺マトリックス内の特定のフェロモンの堆積は、他の巣の仲間を殺虫剤含有マトリックスへ向かわせるのに役立ち、巣の仲間がマトリックスを求めて殺虫剤に曝され、より多くのフェロモンが堆積し、こうして循環的な制御方法を生み出す。昆虫集団へ運搬される殺虫剤は、好ましくは作用が遅く、目的の昆虫を追い払わない濃度で致死であり、昆虫の食物と組合せられることができる。殺虫剤と直接的に接触する又は消化する昆虫は、すぐには殺されないが、この昆虫の群落へ移動して他の巣の仲間を殺虫剤へ向かわせ、昆虫が死ぬ前に群落との相互作用によって大多数の群落の構成員を制御するという結果を生じる。
害虫を監視及び／制御する（すなわち、殺虫剤を害虫に運搬する）ための方法及び装置を付与する時に、害虫が餌を食べ始める部位への崩壊を最小化させることが有利である。例えば、ＰＣＴ国際９３／０５００４号及び米国特許第５３２９７２６号に記載されているように、土壌内へ永久に固定されかつ交換の監視マトリックス及び／又は殺虫剤含有誘引マトリックスで定期的に詰め替えられることができる設備ハウジングを使用することによって、このような部位が土壌内にある時、部位の崩壊が最小化される。
シロアリ誘引システムは、シロアリを制御する従来の方法に対して著しい利点を付与する。重要なことに、有効なシロアリ誘引システムは、シロアリの侵入を制御する又はなくすために劇的に少量の殺虫剤を一般に使用し、非目的種及び環境に殺虫剤を曝す危険を減少させることができる。一般に、これまで開示されてきたシロアリ誘引システム又は設備は、シロアリが存在するか否かを決定するために、運搬設備ハウジング（すなわち、害虫監視のために使用される害虫食物源又は殺虫剤を含有する害虫誘引マトリックス）の中身を取り外すことを必要とする。内側の中身を取り外すことによって生じる混乱は、いくらかの場合において、害虫がシロアリ誘引設備を放棄するのを早めてしまうと信じられている。この点に関して、内側の中身で餌を食べるシロアリは、目的のシロアリの群落を制御するために十分な殺虫剤をシロアリが消化する前にシロアリが誘引設備を放棄するほど十分に内側の中身の取外しによって乱されるので、これまで付与されてきたシロアリ誘引システムの有効性は厳しく減じられる。
このようなシロアリ誘引システムの有効性にもかかわらず、シロアリが設備から放棄することが減じられるシロアリ誘引設備についての必要性が当業界に存在するということが前述から認識される。地上、地面又は地下におけるシロアリを制御する又はなくすために使用されることができる殺虫剤の運搬のための改良装置及び方法のための必要性も存在する。
単独で又は、害虫監視設備又は害虫誘引設備の一部分として、シロアリ等の害虫を監視及び／又は制御するために有用である害虫監視装置又は害虫誘引装置による、本発明によって、前述の問題が解決される。とりわけ、本発明の害虫監視装置又は害虫誘引装置は、外壁と、装置を選択的に移動させるための取出手段を受け入れる実質的に包囲された通路を形成する内壁と、内壁と外壁との間に配置された害虫食用材料とを具備する。
本発明は、害虫がハウジングの外側の位置からハウジングの内部へ接近することができるように、害虫が開口を通過することを可能とするような大きさの開口を有するハウジングを具備する害虫監視装置又は害虫誘引装置にさらに関する。この設備は、堆積関係でハウジング内で取外し可能に配置された第一装置及び第二装置を具備し、第一装置及び第二装置の各々は、害虫を監視又は処理するためにそれぞれに使用される害虫監視装置又は害虫誘引装置のいずれかである。
さらに、本発明は、ハウジングと、以上に記載されたような第一装置と、第一装置を選択的に移動させるのに使用するために第一装置の通路内で受け入れられる第一取出手段とを具備する害虫監視装置又は害虫誘引装置に関する。
本発明の方法において、以上に記載されたような装置が付与され、害虫食用材料の任意の部分が害虫によって消費されたか否かを決定するために定期的に監視される。第二の方法において、害虫食用材料に組み込まれた殺虫剤を有する害虫誘引装置が付与され、害虫は装置へ露出される。
第三の方法において、以上に記載されたような害虫監視装置が、害虫の存在が決定される領域内に付与されている。第一取出手段は、装置を選択的に移動させるために装置の通路内に滑動可能に受け入れられる。装置は、害虫の活動についてチェックすることによって定期的に監視される。害虫誘引装置は、害虫を含んでいることが決定される領域内に付与され、この害虫誘引装置は、害虫食用誘引マトリックスと、作用の遅い殺虫剤と、実質的に包囲された通路を形成する内壁と、害虫誘引装置を選択的に移動させるために誘引装置の通路内に滑動可能に受け入れられる第二取出手段とを具備する。
有利なことに、本発明による器具、装置及び方法は、もしあるならば、環境又は非目的種への汚染を最小の危険で、比較的に少量の殺虫剤を利用する。さらに、本発明の害虫監視又は害虫誘引装置は、装置が地下、地中及び地上の設備で協調できるので多様であり、必ずしも関連ハウジング内に包囲されることなく、装置単独で使用されることすらできる。これらの装置は、作業者を危険な薬品に曝す危険を減じ、監視、移動、輸送又は交換が容易である。こくつかの場合において害虫監視設備又は害虫誘引設備は害虫が設備を放棄することを少なくする又はなくすので、本発明による害虫監視設備又は害虫誘引設備は望ましい。
本発明は、添付図面と関連して以下の好適な実施形態の詳細な説明を読むことによって十分に理解される。
図１は、害虫監視又は誘引設備ハウジングを用いて使用される時の二つの異なる取出手段によって受け入れられる例としての害虫監視装置を含む害虫監視又は誘引設備の分解図である。
図２は、図１と同じであるが、図１に示される害虫監視装置よりも分解された図で二つの例としての害虫誘引装置を示す。
図３は、図１と同じであるが、図１に示される上側監視装置及び上側取出手段の代わりに使用される例としての空間充填装置を分解図で示す。
図４は、一つの例としての害虫監視装置及び一つの例としての害虫誘引装置を含む害虫監視又は誘引設備の分解図である。
図面と関連して理解されるこの明細書の以下の部分は、本発明の好適な実施例を記載する。本発明の範囲内にありながら発明の種々の修正がなされるということが理解されなければならないが、ここに開示された本発明の実施例は、本発明を実施するために、発明者によって考えられた最も好適な形態を含んでいる。
本発明の詳細な説明のための図面を参照すると、まず、本発明による、例としての害虫監視又は誘引設備１０の一実施例を描く図１が説明される。この設備１０は、シロアリを監視及び／制御するのに使用するために特別に有用であるが、当昆虫又は害虫に適した食物源を具備する監視又は誘引装置を組み込むことによって、他の昆虫又は害虫のために利用されることができる。設備１０は、二つの同じハウジング半分部１２を具備する。このハウジング半分部１２は、共に固定される時に、地中の用途が一般的であるハウジング１２を構成するが、地面又は地上の用途のために使用されることができる。ハウジング半分部が共に簡単にスナップ嵌めとすることができるように一般につくられている。ハウジング１２には、害虫が害虫監視装置に露出されることができるようにシロアリ等の害虫がハウジングの外側の位置からハウジング１２の内側へ接近することを可能とするための一般に細長スロットの形態で、少なくとも一つの及び好ましくは複数の穴２０が側壁に付与される。示されているように、地面近傍にいがちなナメクジ又はアリ等の時々の望ましくない侵入者がハウジングの内部へ接近することを防ぐように、ハウジング１２の上部に穴２０がないことはしばしば役に立つ。ハウジング１２はさらに、少なくとも一つの、好ましくは二つの反対に配置された傾斜した傾斜路１４を一般に具備する。この傾斜した傾斜路１４は、ハウジング１２の側壁を通って延びる傾斜路の端穴１６で各々が終わっている。
上端フランジ２４は、一般にハウジング１２の上面へ取り付けられ、好ましくはハウジング１２から半径方向外側に延びる。上端フランジ２４は、上端フランジ２４内に、二つの対向して配置されたキー溝２６を好ましくは具備し、少なくとも一つの対応するキー２８が、ハウジング１２上に付与されることができる。ハウジング１２のキー２８が、上端フランジ２４のキー溝２６内に受け入れられることができ、上端フランジ２４は、ハウジング１２へ上端フランジ２４を固定するように、ハウジング１２に関して回転させられることができる。図１に示されるように、ハウジング１２の半分部が共にスナップ適合される時に、上端フランジ２４の対応する対向して配置されるキー溝２６内に受け入れられる二つの対向して配置されるキー２８が好ましくは形成される。上端フランジ２４は、ハウジング１２が地中に配置される時に、太陽の熱からハウジングを１２を保護する。
上端フランジ２４は、上キャップ３０を受け入れる。上キャップ３０は、好ましくは四分の一回転の固定キャップでありかつ、他人によるハウジング１２の中身の操作を制限しながら本当の害虫制御操作者がハウジング１２を操作することを可能とする。上キャップ３０は、上キャップ３０上に配置された二つのほぼ平行な隆起部３４を有する平坦な上面３２を好ましくは具備する。隆起部３４は、上キャップ３０をハウジング１２へ固定するために時計回りに、又はハウジング１２から上キャップ３０を取り外すために反時計回りに上キャップ３０を回転させるために、適切な大きさのキー（図示せず）を隆起部の間で受け入れる。上キャップ３０は、上面３２からほぼ垂直に延びる、複数の好ましくは四つの筒状のこぶ又は柱３６をさらに好ましくは具備する。柱３６は、キーと上キャップ３０の柱３６との間の摩擦嵌めを付与するためのキー（図示せず）の対応面よりわずかに小さい大きさとされることができ、それにより、ハウジング１２に上キャップ３０を取り付ける又はハウジング１２から上キャップ３０を取り外す時に、キーが上キャップ３０と係合したままであるようにする。さらに、上キャップ３０は、少なくとも一つの、好ましくは二つの対向する半径方向外側に延びる柱３８を具備する。この柱３８の各々は、ハウジング１２の傾斜した傾斜路１４を滑って下がり、上キャップ３０がハウジング１２へ固定又は留められる時に各傾斜路の端穴１６とほぼ軸方向に整列させられる。
害虫監視装置２２は、害虫が食べる及び／又は害虫をハウジング１２へ誘惑する任意の材料を具備する。図１は、四つのほぼ半筒状の木材ブロックの形態の害虫監視装置２２を示す。ハウジング１２内に配置される時に下側の組の二つの半筒状ブロック２２は、外壁２３を形成し、内壁２５は、取出手段４２を受け入れる（好ましくは滑動可能に受け入れる）実質的に包囲された通路４０を形成する。取出手段４２は、下側の組の害虫監視装置２２を選択的に移動させるために使用されることができる。同様に、ハウジング１２内に配置される時に、上側の組の二つの半筒状ブロック２２は、外壁２３を形成し、内壁２５は、取出手段４４を受け入れる（好ましくは滑動可能に受け入れる）実質的に包囲された通路４０を形成する。取出手段４２は、上側の組の害虫監視装置２２を選択的に移動させるために使用されることができる。各害虫監視ブロック２２は、内壁と外壁との間に配置された害虫食用材料を具備する。
各半筒状木材ブロックは、監視される又は制御される特定の種類の害虫に最も望ましい一種の木材を好ましくは具備する。適切である種々の木材が先行技術において開示されている。例えば、１９７２年の公報において、ベア(Behr)他は、シナノキ、ナマナラシ、ハヒロハコヤナギ、アメリカシラカンバ、ソフトメイプル、ユリノキ（ユリノキの材、ブナノキ、ペカン、カエデ材及びカキを開示して比較した（ベア、E.A.、C.T.ベア(Behr)及びL.F.ウィルソン、１９７２年、東地下シロアリによる木材の硬さの餌供給への影響、Reticulitermes flavipes（シロアリ目、ミゾガシラシロアリ科）アン、エントモール、Soc.Am、６５（２）、４５７〜４６０）。適切な他の種類の木材は、南マツ(southern yellow pine)、バルサムモミ及びエンゲルマントウヒである。ブロックが実質的に包囲された通路を形成するならば、任意の数の筒状ブロックが所望のように使用されることができるということが当業者に明らかである。実質的に包囲された通路４０は、監視装置２２を少なくとも部分的に好ましくは完全に通って延びる。
取出手段４２は、下側監視装置２２を支持するための基部４６を一般に具備し、基部４６は、基部４６からほぼ垂直に好ましくは延びる細長指又は部材４８へ取り付けられる。細長部材４８は、監視装置２２によって形成される実質的に包囲された通路４０内で受け入れられる（好ましくは滑動可能に受け入れられる）取出手段４２の一部分である。基部４６は、監視及び制御される害虫がそこを通過するような十分に大きな好ましくは細長スロットの形態の複数の穴又は開口５０を一般に具備する。取出手段４２には、下側の害虫監視装置２２の操作、移動及び／又は移送を促進するように、把持手段５２をさらに一般には備えている。例として、把持手段５２は、基部４６と反対の細長部材４８の端部上に、図１に示すように、細長部材４８上に一体に形成されることができる。取出手段４２は、害虫監視装置２２の実質的に包囲された通路４０内に受け入れられることによって、下側監視装置２２と係合することができる。取出手段４２は、ハウジング１２内における又はハウジング１２内外への移動又は輸送を促進するために使用されることができる。把持手段５２は、人の指等で把持手段５２を係合することによって、取出手段４２それゆえ下側監視装置２２の移動を促進するために使用されることができる。細長部材４８が下側害虫監視装置２２と係合することができる限り、取出手段４２についての他の別の配置が可能である。
取出手段４４は、取出手段４２に幾分類似しており、上側の監視装置２２を支持するための基部５４を具備し、基部５４は、基部５４から実質的に垂直に好ましくは延びる細長指又は部材５６へ取り付けられる。細長部材５６は、上側監視装置２２によって形成される実質的に包囲された通路４０内に受け入れられる（好ましくは滑動可能に受け入れられる）取出手段４４の一部分である。基部５４は、害虫がそれを通して通過することが監視又は制御されることを可能とするほど十分に大きな好ましくは細長スロットの形態の複数の穴又は開口５８を一般に具備する。取出手段４４はさらに、上側害虫監視装置２２の操作、移動及び／又は移送を促進する把持手段６０を一般に備えている。把持手段６０は、基部材５４と反対の細長部材５６の端部において細長部材５６上で一体に形成されることができる。取出手段４４は、上側監視装置２２の実質的に包囲された通路４０内に受け入れられることによって、上側監視装置２２と係合することができる。取出手段４４は、ハウジング１２内の又は内外への上側監視装置２２の移動又は移送を促進するために使用されることができる。細長部材５６が上側害虫監視装置２２と係合及び移動することができる限り、取出手段４４についての他の別の配置が可能である。把持手段６０は、基部５４と反対の細長部材５６の端部において付与されているオリフィスの形態をとることができる。このオリフィスは、フック、指等の把持手段のアクチュエータと、把持手段６０の係合を有利にも容易にすることができる。
一般に、害虫の活動がハウジング１２内で観察された後に、害虫制御操作者は上側害虫監視装置２２及び選択的に下側監視装置２２も取り外すことができ、監視装置２２と誘引装置８０を交換する。本発明の実施に必要ないが、害虫制御操作者の殺虫剤との接触を最小化するために、害虫誘引装置７０を使用することが好ましい。この装置の例が図２に示されている。一般に、取出手段４２及び４４が、示されているように誘引装置７０で使用される。図２は、二つの害虫誘引装置７０が使用されている応用例を示すが、好適ないくつかの場合において、ハウジング１２内の下側害虫監視装置を乱されないままにして上側害虫監視装置だけを害虫誘引装置８０又は害虫誘引装置７０と交換することが好ましいということが当業者には明らかである。
害虫誘引装置７０は、熱可塑性材料から好ましくは形成されかつ半透明又は透明であり、細長スロット７４のような穴を有するるカップ又は容器７２を一般に具備する。カップ上のスロット７４は、カップの側壁７６に沿って及び／又は底面７８に沿って延びることができる。スロット７４は、害虫がカップ７２の外側の位置からカップ７２の内側へ接近することができるように害虫がそこを通って移動すること可能とするほど十分に大きい。カップ７２は、取出手段４２又は４４を受け入れる底面開口７３を具備する。カップ７２は、外壁８１と、受け入れられる（好ましくは滑動可能に受け入れられる）実質的に包囲された通路８２を形成する内壁８３と、外壁８１と内壁８３との間で配置される害虫食用材料とを具備する。通路８２は、害虫誘引装置８０のほぼ中央の開口又は芯として一般に形成され、害虫誘引装置８０を少なくとも部分的に及び好ましくは完全に通って延びる。通路８２は、以下に詳細に記載されるように害虫誘引装置８０を移動又は移送させるために使用されることができる取出手段を受け入れるのに十分大きい。図２は、害虫誘引装置８０及び害虫誘引装置７０がほぼ筒状形状であり、ほぼ環状断面であるが、これらは、単に例としての形状であり、種々の他の形状が、本発明の範囲から逸脱することなく本発明と関連して使用されることができる。さらに、カップ７２が、図１において示されている監視装置２２のような監視装置を保持するために使用されることができる。
害虫誘引装置７０は、取出手段４２又は４４を受け入れる開口８８を有するキャップ８６を一般に具備する。キャップ８６及びカップ７２は、望まれるならばキャップ８６がカップ７２へねじ込まれ、又はカップ７２へのスナップ嵌めであり、又は望まれるならば取外し可能にカップ７２へ適切に固定されるように形成されることができる。しかしながら、キャップ８６は、害虫の誘引装置７０の必要な構成要素でない。害虫誘引装置７０が取出手段４２又は４４によって係合させられ、取出手段は、取出手段の把持手段がキャップ８６の上方に配置されるように、一般にカップ７２の底開口７３、装置８０の通路８２及びキャプ８６の開口８８を通って延びる。こうして、取出手段４２又は４４が害虫誘引装置７０と係合させられる時に、害虫誘引装置７０を移動又は移送させるために作動させられることができる。
装置８０は、任意の害虫食用材料を具備する。装置８０は、種々の形態で付与されることができるが、シートの形態の層状材料がしばしば好ましい。装置８０は、シロアリ等の害虫を不快に感じさせずかつ害虫によって典型的に容易に摂取される材料を具備する。特に、適切なマトリックス材料は、監視又は制御される害虫の種に適し、害虫がシロアリである時に繊維状物質又は変態繊維状物質、例えばセルロース含有材料から形成可能である。適切なセルロース含有材料は、紙、紙製品（１００％の純粋な紙、再生紙又は純粋な紙と再生された紙との組合せ）、綿リンター、厚紙、板紙、木粒子又は木粉、再生紙又は、Methocel（登録商標）（ダウ化学会社の商標）の商標の下で商業的に利用可能である、メチルセルロース、ヒドロキシプロピルメチルセルロース、ヒドロキシブチルメチルセルロース等のセルロースエーテル、又は他の農業的な繊維に限らずに含む。これらの材料が、一般に一つ以上の溶液、例えば漂白薬品の水溶液で漂白されることができる。紙製品及び綿リンターは、選択的に織り目を付けられる又は粗くさせられることができ、さらに選択的に複数の層を具備することができる。もし望まれるならば、装置８０には、米国特許第５５５５６７２号において開示された補足的な支持構造及び仕切り構造と類似した支持材料又は支持構造が付与される又はと関連されることができる。
十分な湿気の存在に誘惑されて又は十分な湿気の存在を頼っているシロアリ又は他の害虫の種で使用するために、水が装置８０に足されることができ、装置８０は、一般に予め選択されたレベルでカップ７２内における水分含有量を維持するために、湿潤剤又は他の湿気調節手段をさらに具備することができる。監視又は制御される害虫の種を誘惑する又は不快に感じさせない、フェロモン擬似物質及び他の成分を生成する装置８０はさらに付与されることができる。
装置８０は、殺虫剤、好ましくはマトリックス内に充填される又は組み込まれることができる作用の遅い殺虫剤を含む。あるいは、昆虫制御なしで怪しい昆虫の活動の監視が望まれるならば、マトリックスは、殺虫剤なしで使用されることができる。殺虫剤は作用の遅い殺虫剤であり、制御される害虫がシロアリである時、殺虫剤は、一般に作用の遅いシロアリ殺虫剤(termiticide)である。参照としてここに組み込まれている米国特許第５５５６８８３号に記載されているように、当業者は、殺虫剤を準備しかつ本発明によるマトリックス内へ殺虫剤を組み込む適切な方法を認識する。表面活性剤、安定剤、浸透剤、消泡剤、固着剤、懸濁剤及び分散剤等の添加剤が、望まれるならば例えば使用されることができる。当業者は、例えば、印刷、噴霧、被覆、浸漬又は他の含浸によって殺虫剤を付与する、又はマトリックス８０に殺虫剤を付与するための方法を容易に認識する。
適切な毒素は、例えば、ＰＣＴ国際公開第９３／２３９９８号及び米国特許第５５５６８８３号に記載されているような、化学的昆虫殺虫剤、昆虫成長制御剤、微生物病原体、微生物病原体から由来する毒素である。好適な化学的昆虫殺虫剤は、米国特許第５５５６８８３号に記載されたような殺虫剤であり、特に好ましくは、この特許の請求の範囲に記載された昆虫殺虫剤の化合物であり、より好ましくはヘキサフルムロン(hexaflumuron)である。ヘキサフルムロンと構造的に類似した化合物、又は米国特許第５５５６８８３号に記載された他の化合物、又は米国特許第４８３３１５８号に記載の他のアシルウレア化合物、例えばフルフェノクスロン(flufenoxuron)も使用されることができる。他の適切な毒素は、１９９６年１１月８日出願の米国特許出願第０８／７４５３８７号、全て１９９６年１１月８日出願の米国仮特許出願６０／０２９７４２号、同６０／０２９７４７号及び同６０／０２９７４８号のような、特定のベンゾイルフェニルウレア化合物と、ＰＣＴ国際公開９６／３２００９号に開示された毒素を含む。米国特許第５５５６８８３号、米国特許出願第０８／７４５３８７号、米国仮特許出願６０／０２９７４２号、同６０／０２９７４７号及び同６０／０２９７４８号全てが、本発明と関連した毒素として使用されることができる種々の殺虫剤の化合物の教授のために、ここに組み込まれている。
取出手段４２及び／又は４４は、ハウジング１２内に配置されることができ、その一方で、害虫監視装置２２及び／又は害虫誘引装置７０と係合し、便利にもこれらの装置を使用中に交換、監視又は移動させる手段を付与する。重要なことに、取出手段４２及び４４は、これらの装置を監視、交換し又は移動させることができ、その一方で害虫制御操作者の装置への露出を減じ、その一方でシロアリ等の害虫がハウジング１２を明け渡さないように重要でないが害虫の活動を乱さない。取出手段４２及び４４の使用は、筒状の害虫誘引装置７０又は害虫監視装置２２に制限されないということが注意されるべきである。取出手段４２及び４４は、もし取出手段の形状が、取出手段４２及び／又は４４を受け入れるために取出手段を通って少なくとも部分的に及び好ましくは十分に延びる実質的に包囲された通路を有するならば、本発明による多くの異なる形状の装置で使用されることができる。さらに、種々の他の形状の取出手段４２及び４４が本発明に応じて使用されることができる。
好ましくは、取出手段４２及び４４が、ハウジング１２内に実質的に同軸に配置され、例えば垂直方向の配置で取出手段４２の細長部材４８の少なくとも一部分をたたみこむことによって、対応監視装置２２及び／又はその上に保持される害虫誘引装置７０の垂直方向の堆積を可能とするように同軸に連結される。取出手段４２の細長４８は好ましくは、基部４６から十分な距離延び、下側監視装置又は害虫誘引装置を保持するだけでなく好ましくは取出手段４４内で受け入れられる。取出手段４４は、一般的に、少なくとも上側の監視又は誘引装置までの長さを必要とするだけである。取出手段４２及び４４の両方の使用は、もし害虫誘引設備における観察活動の時又は殺虫剤有り又は無しのさらなる害虫食用材料を付与する時に取出手段４４及び上側監視又は誘引装置が移動させられるならば、シロアリが餌を食べることを中断させないでことを容易にすることができるので有利である。
換言すると、上側及び下側の監視及び／又は誘引装置の使用は、一時に一つの装置を監視又は交換する一方で、シロアリ等の害虫への給餌における測定の連続性を可能とすることができる。害虫監視及び／又は誘引装置は、取出手段４２及び４４に沿ってほぼ軸方向に整列させられる。しかしながら、害虫監視及び誘引装置は、水平方向等の他の配置方向においてほぼ軸方向に整列させられることができる。取出手段４２は二つ以上の監視又は誘引装置を受け入れることができるが、取出手段４２はこのような装置の一つだけを受け入れることもできる。二つの取出手段４２及び４４が図面に示されているが、一つ又は複数の取出手段は、使用されることができる又は、監視又は誘引設備において任意の一時において使用されることができる害虫監視又は誘引装置の数において一致しても一致しなくてもよいということが当業者によって理解される。
重要なことに、本発明による監視又は誘引装置は、取出手段４２又は４４を受け入れるための実質的に包囲された通路を具備する。本発明と関連して、これらの装置は、実質的に包囲された通路を有する多数の配置のいずれかとすることができる。
図３をここで参照すると、本発明による害虫監視又は誘引設備は、空間充填部材、好ましくは、シロアリの消費に実質的に耐性がありかつ「臆病」なシロアリ又は他の害虫を監視及び制御するのに特に有用である、透明なカップ又はプラグ９０を具備することができる。とりわけ、以下に詳細に記載されているように、監視段階中においてシロアリの餌供給の任意の中断を避けるように害虫が餌を食べるのを妨げるように、カップ９０が付与されている。中断の欠如は、シロアリ、特にいわゆる「臆病」なシロアリが、もし餌供給工程中に乱されるならば、その設備を明け渡す可能性があるので有利である。カップ９０の透明さは、図３に示されているように、一般にカップの下に、カップの隣に配置された監視又は誘引装置を試験する能力を促進する。カップ９０は一般に透明であるが、カップ９０には、非透明の側壁、実質的に透明の底端キャップ９２及び実質的に透明な上端キャップ９８が付与されることができる、又は上端キャップが付与されない。カップ９０は、カップを通って実質的に軸方向に延びる実質的に包囲された通路（図示せず）と、キャップの底面（図示せず）及びキャップの上面９４を通って延びる穴１００を有するキャップと、カップ９０の操作及び移動を促進するための把持手段１０２とを一般に具備する。キャップ９８は、カップ９０へねじで留められることができ、又はカップ９０へ取外し可能に固定されることができるか、永遠に固定されることができるか、又はカップ９０と一体とされることができる。通路は、通路が取出手段４２を受け入れることができる又は、取出手段なしのいくつかの実施形態において使用されることができるように形成される。把持手段１０２は、カップ９０を移動又は移送させるために使用されることができる。
もし望まれるならば、害虫監視の態様中において、害虫誘引装置７０のような害虫誘引装置は、湿潤剤、フェロモン擬似物質、及び監視される害虫の種を誘惑する又は不快に感じさせないマトリックスを生成する他の成分等の添加物がさらに含まれることができるが、殺虫剤なしで害虫食用装置を保持するために使用されることができる。例えば、水分含有量を調整するために湿潤剤が含まれることができる。当業者は、本発明で使用されるために適切である添加物の種類を認識する。もし望まれるならば、湿潤剤等の添加物は、監視態様及び制御（誘引）態様の両方で存在することができるということが注意されるべきである。次いで、使用される殺虫剤なしのマトリックスを含む害虫誘引装置又は他の監視装置は、シロアリ等の害虫が物理的に存在するか否か、又はこのような装置において存在する食源の任意の部分が噛まれた又は食べられたか否かを確かめることによって、害虫の活動についてチェックするために定期的に監視されることができる。害虫の活動についてのチェックが、以上に説明されたような、一つ以上の取出手段によって促進される。
本発明は、実質的に同軸の、垂直方向の堆積した監視装置及び／又はシロアリ等の害虫に餌を供給するための誘引装置の付与を可能とする。本発明の堆積可能な、垂直方向の配置は、存在する大量の監視材料又は誘引材料を付与し、設備の据え付け時間から始まって監視活動及び／又は制御活動の期間を通して連続した、妨げられない、乱されない餌供給をすることができる。殺虫剤のない二つの害虫誘引装置又は二つの監視装置２２が、設備の装置において含まれることができる。一旦、据え付けられ、シロアリが給餌されると、誘引が多数の方法で開始させられることができる。例えば、上側室内の装置だけが取り外され、害虫誘引装置７０等の殺虫剤含有マトリックスを有する誘引装置に交換させられることができる。これは、下側室内において乱されないでシロアリの保護を維持でき、シロアリは、そこから新しく据え付けられた誘引装置に移動して接近する。これは、「臆病」なシロアリ種のような以上に説明された物の成功的な誘引に特に有効であるということがわかる。この配置の変形例において、ハウジングの上部は、カップ９０によって占められることができ、カップは、設備の据え付け及び下側の監視装置上でシロアリへの給餌が定着した後に、取り外されて殺虫剤含有マトリックスを有する誘引装置と交換させられることができる。このような配備は、ハウジングの上部における餌供給が、誘引の前に実質的に排除され、それにより餌供給の任意の中断を避けるので、「臆病」なシロアリ種の監視及び誘引において特に有用である。
あるいは、上側監視装置及び下側監視装置の両方は、取り外され、殺虫剤含有マトリックスを具備する誘引装置と交換されることができる。これは、設備における大量の殺虫剤含有餌の運搬を表し、引き続いての設備の検査間の時間にわたる中断されない餌供給が困難であるかもしれないという過酷な餌供給条件の下で最も有効であるということがわかる。
図４を参照すると、害虫監視又は誘引設備１１０は、第一実施形態のハウジングに幾分類似しているハウジング１１２を具備するが、矩形下部及び筒状上部を具備する。ハウジング１１２は、ハウジング１１２の外側の位置からハウジング１１２の内側へシロアリが移動することを可能とするための穴１２０を有する。ほぼ矩形の木製のブロックの形態の監視装置１２２が付与されることができる。取出手段１４２は、基部１４６と、下側監視装置１２２を具備する二つのブロックの形状に匹敵する平坦な棒形状を好ましくは有する細長指又は部材１４８と、基部１４６と反対の細長部材１４８の端部に又は近傍に位置する穴の形態をとることができる把持部材１５２とを具備する。理解されることができるように、使用中において、下側監視装置１２２を形成する二つの木製のブロックは、取出手段１４２の細長部材１４８及び基部１４６に隣接して配置される。二つのブロックが示されているが、取出手段１４２の細長部材１４８及び基部１４６に隣接してブロックが付与されるならば、一つのブロック又は三つ以上のブロックが選択的に使用されることができる。
害虫誘引装置１７０は、さらに図４において示され、カップ内へのシロアリの移動を可能とするための細長スロット１７４と、側壁１７６と、底面１７８と、その中に取出手段１４２を受け入れる底面開口（図示せず）とを有する外側カップ又は容器１７２を具備することができる。カップ１７２は、カップの底面開口を部分的に形成することができる中央柱１９０を具備することができる。好ましくは、例えば穴を有する馬蹄形状で付与されることができる把持手段１９２が中央柱１９０の上部に配置される。害虫誘引装置１８０は、外壁１８１と、装置１８０を選択的に移動させるためのカップ１７２の中央柱１９０を受け入れる実質的に包囲された通路１８２を形成する内壁１８３と、外壁１８１と内壁１８３との間に配置された害虫食用材料とを具備することができる。害虫誘引装置１７０用のキャップ１８６が、さらに付与されることができ、カップ１７２の把持手段１９２を受け入れる開口１８８を具備することができる。キャップ１８６は、もし両方に協調的(compatible)なねじが付与されるならば、カップ１７２へねじで留められることができ、又はキャップ１８６は望まれるならばカップ１７２へ取外し可能に固定されることができる。あるいは、誘引装置１７０はキャップなしで使用されることができる。
害虫監視又は誘引設備１１０は、害虫監視又は誘引設備１０と同様に使用される。図４から容易に明らかなように、これらの二つの設備の一つの主な違いは、下側監視ブロック１２２は、取出手段１４２を受け入れる実質的に包囲された通路を形成しないということである。これらのブロックが取出手段１４２の基部１４６上に配置されるので、取出手段１４２が移動する時に、監視ブロック１２２は取出手段１４２によって簡単に移動させられる。害虫監視又は誘引設備１１０における上側装置は、カップ１７２の把持手段１９２を作動することによって移動させられることができる。
害虫誘引装置７０及び１７０のような本発明の害虫誘引装置及び害虫誘引装置８０及び１８０のような本発明の害虫誘引装置は、ハウジング１２又は１１２、又は地中、地面又は地上のハウジング又は害虫誘引設備等の外側ハウジングについての必要なく単独で使用されることができる。害虫誘引装置８０及び１８０及び害虫誘引装置７０及び１７０は、例えば、地下等の害虫が監視される又は処理される領域において直接的に配置されることができ、この装置は、装置の中に存在する害虫食用材料の任意の部分が害虫によって消費されたか否かを決定するために定期的に監視されることができる。さらに、害虫誘引装置８０及び１８０は、このような用途において、カップ７２又は１７２有り又は無しでそれぞれ使用されることができる。さらに、もし害虫監視だけ、又は害虫監視又及び害虫制御の組み合わせが望まれるならば、監視装置２２又は１２２等の一つ以上の監視装置がこのような用途において使用されることができる。
本発明と関連して使用される材料に関して、ハウジング、上端フランジ、上キャップ、取出手段、誘引カップ及びキャップ及び空間充填カップは、耐久力のある材料で一般に形成される。この材料は、非腐食性金属及び蝋と共に、ポリスチレン等の種々のプラスチック材料を含む種々の公知のポリーマーのいずれかのように、好ましくは弾性があり、本質的に非生物分解性であり、耐温度性であり、耐紫外線放射線性である。
本発明は、当業者によって容易に使用されることっができる多数の方法及び装置を意図している。特別な方法及び装置が、明細書中に付与される教えを使用することによって、特別の目的の害虫のため及び環境の設定のために容易に最適化されることができる。これらの方法及び装置の変形及びシロアリ以外の昆虫及び害虫への応用が、当業者によって容易に認識され使用されるということが認識される。例えば、当業者は、保持カップを具備する実施形態を含む本発明の監視装置及び誘引装置は、ハウジング内の任意の連続的な配置で配置されることができ、図面に示されている配置は単なる例であるということを認識する。好適な実施形態において記載された本発明は、当業者の能力の範囲で発明の能力がなくとも多数の修正例及び実施形態について明らかに考えることができる。本発明の範囲は、以下に記載されるように規定される。
【図１】
0003822251.tif 000002
【図２】
0003822251.tif 000003
【図３】
0003822251.tif 000004
【図４】
0003822251.tif 000005